(57)【要約】      （修正有）【課題】真空成形による繰り返し使用可能な肢体保護パッドを提供する。【解決手段】２つの内側表面が互いに隔てられ、且つ対応し合う位置にあり、それぞれに位置決め部材１７が設けられ、その位置決め部材が袋体１０内の収納空間１３部分を複数の位置決め空間１３１に仕切り、袋体を平らで薄い形状に維持し、且つ隣接する位置決め空間が互いに仕切られつつも連通し合うようにして、複数の顆粒４０を充填できる気密性の袋体と、その底部が袋体の表面に気密封止され、空気ノズル２０内には空気流路２１１が設けられ、袋体の内外を連通させ、且つ導通又は非導通の状態に切り替えることのできる空気ノズル２０と空気流路と対応する位置に設けられ、その網目が顆粒の粒径よりも小さなフィルター１１２と肢体保護パッドＡを肢体の表面に巻き付けて離れないよう安定させることのできる、少なくとも１つの締め付け部材１５とで構成される。【選択図】図２
0003224632.tif 000002
【実用新案登録請求の範囲】
【請求項１】
真空成形による繰り返し使用可能な肢体保護パッドであって、
気密性材料で作られ、その周縁は気密封止されてその内部に第一収納空間が形成され、袋体の表面には前記第一収納空間に対応する位置に１つの開口が設けられ、前記開口は前記第一収納空間と互いに連通しており、前記袋体の２つの内側表面は互いに隔てられ、且つ対応し合う位置にあり、それぞれに位置決め部材が設けられ、前記位置決め部材は長さを有する位置決め糸であって、前記第一収納空間部分を複数の位置決め空間に仕切ることができ、且つ隣接する前記位置決め空間が互いに仕切られつつも連通し合うようにさせることで、前記第一収納空間の断面が常に所定の平らで薄い形状になるよう維持される前記袋体と、
底部周縁が前記袋体の表面の前記開口に対応する位置に気密封止され、その中には空気流路が設けられ、排気装置が前記空気流路を通じて前記収納空間の排気を行うことができる空気ノズルと、
前記袋体の前記位置決め空間内に充填され、且つ前記位置決め空間内を移動することができる複数の顆粒と、
前記空気流路と対応する位置に設けられ、フィルターの網目は前記顆粒それぞれの粒径よりも小さい前記フィルターと、
前記肢体保護パッドを肢体の表面に巻き付けて離れないよう安定させるとともに、それによって前記肢体保護パッドを前記肢体に巻き付ける強度の調整が可能となる少なくとも１つの締め付け部材とで構成される、
真空成形による繰り返し使用可能な肢体保護パッド。
【請求項２】
前記顆粒は多孔質構造を呈する顆粒である、請求項１に記載の肢体保護パッド。
【請求項３】
前記多孔質構造の顆粒は、可塑性発泡材料又は多孔質セラミック材料で作られる、請求項２に記載の肢体保護パッド。
【請求項４】
前記空気ノズルは１つの逆流防止弁であり、前記排気装置が前記空気流路を通じて前記第一収納空間の排気を行う際に、前記逆流防止弁が前記空気流路を単一方向に導通の状態にして、逆に、前記袋体の外部の気圧が前記第一収納空間内の気圧と等しいか又は上回る場合には、前記逆流防止弁が前記空気流路を非導通の状態にする、請求項３に記載の肢体保護パッド。
【請求項５】
前記空気ノズルは空気弁であり、前記空気弁は開ける又は閉めることができ、それによって前記空気流路を導通又は非導通の状態にする、請求項３に記載の肢体保護パッド。
【請求項６】
前記締め付け部材の一端はそれぞれ前記袋体の周縁に接続される、請求項１乃至５のいずれか一項に記載の肢体保護パッド。
【請求項７】
前記肢体保護パッドはさらに飾り袋を含み、前記飾り袋は通気性材料で作られ、その周縁は封止されて内部に収容空間が形成され、前記収容空間は前記袋体を収納するのに用いられ、前記飾り袋の表面には前記空気ノズルに対応する位置に露出孔が設けられ、前記空気ノズルは前記露出孔を通じて前記飾り袋の外部に露出することができる、請求項１乃至５のいずれか一項に記載の肢体保護パッド。
【請求項８】
前記締め付け部材の一端はそれぞれ前記飾り袋の周縁に接続される、請求項７に記載の肢体保護パッド。
【請求項９】
前記肢体保護パッドはさらに飾り被覆層を含み、前記飾り被覆層は通気性材料で作られ、且つ前記袋体の外側表面を被覆し、前記空気ノズルだけが前記飾り被覆層の外部に露出することができる、請求項１乃至５のいずれか一項に記載の肢体保護パッド。
【請求項１０】
前記締め付け部材の一端はそれぞれ前記飾り被覆層の周縁に接続される、請求項９に記載の肢体保護パッド。
【請求項１１】
真空成形による繰り返し使用可能な肢体保護パッドであって、
通気性材料で作られ、その周縁は封止されて内部に第一収納空間が形成され、内袋の２つの内側表面は互いに隔てられ、且つ対応しあう位置にあり、それぞれに位置決め部材が設けられ、前記位置決め部材は長さを有する位置決め糸であって、前記第一収納空間部分を複数の位置決め空間に仕切ることができ、且つ隣接する前記位置決め空間が互いに仕切られつつも連通し合うようにさせることで、前記第一収納空間の断面が常に所定の平らで薄い形状になるよう維持される前記内袋と、
前記内袋の前記位置決め空間内に充填され、且つ前記位置決め空間内を移動することができ、顆粒それぞれの粒径は前記通気性材料の通気孔径よりも大きい前記複数の顆粒と、
気密性材料で作られ、その周縁は気密封止されて内部に第二収納空間が形成され、前記第二収納空間は前記内袋を収納し、外袋の表面には前記第二収納空間に対応する位置に１つの開口が設けられ、前記開口は前記第二収納空間と互いに連通された前記外袋と、
前記外袋の表面の前記開口に対応する位置に気密封止され、内部には空気流路が設けられ、排気装置が前記空気流路を通じて前記収納空間の排気を行うことができる空気ノズルと、
前記肢体保護パッドを肢体の表面に巻き付けて離れないよう安定させるとともに、それによって前記肢体保護パッドを前記肢体に巻き付ける強度の調整が可能となる少なくとも１つの締め付け部材とで構成される、
真空成形による繰り返し使用可能な肢体保護パッド。
【請求項１２】
前記通気性材料は通気性の繊維製品又は通気性の可塑性フィルムである、請求項１１に記載の肢体保護パッド。
【請求項１３】
前記気密性材料は気密性の可塑性フィルムである、請求項１２に記載の肢体保護パッド。
【請求項１４】
前記顆粒は多孔質構造を呈する顆粒である、請求項１３に記載の肢体保護パッド。
【請求項１５】
前記空気ノズルは逆流防止弁であり、前記排気装置が前記空気流路を通じて前記収納空間の排気を行う際に、前記逆流防止弁が前記空気流路を単一方向に導通の状態にして、逆に、前記外袋の外部の気圧が前記収納空間内の気圧と等しいか又は上回る場合には、前記逆流防止弁が前記空気流路を非導通の状態にする、請求項１４に記載の肢体保護パッド。
【請求項１６】
前記空気ノズルは１つの空気弁であり、前記空気弁は開ける又は閉めることができ、それによって前記空気流路を導通又は非導通の状態にする、請求項１４に記載の肢体保護パッド。
【請求項１７】
前記締め付け部材は締め付けベルトであり、その一端は前記外袋の周縁に固定される、請求項１１乃至１６のいずれか一項に記載の肢体保護パッド。
【請求項１８】
前記肢体保護パッドはさらに飾り袋を含み、前記飾り袋は通気性材料で作られ、その内部に収容空間が形成され、前記収容空間は前記外袋を収納するのに用いられ、前記飾り袋の表面には前記空気ノズルに対応する位置に露出孔が設けられ、前記空気ノズルは前記露出孔を通じて前記飾り袋の外部に露出することができる、請求項１１乃至１６のいずれか一項に記載の肢体保護パッド。
【請求項１９】
前記締め付け部材は締め付けベルトであり、その一端は前記飾り袋の周縁に接続される、請求項１８に記載の肢体保護パッド。
【請求項２０】
前記肢体保護パッドはさらに飾り被覆層を含み、前記飾り被覆層は通気性材料で作られ、且つ前記外袋の外側表面を被覆し、前記空気ノズルだけを前記飾り被覆層の外部に露出させることができる、請求項１１乃至１６のいずれか一項に記載の肢体保護パッド。
【請求項２１】
前記締め付け部材は締め付けベルトであり、その一端は前記飾り被覆層の周縁に接続される、請求項２０に記載の肢体保護パッド。
【考案の詳細な説明】
【技術分野】
【０００１】
[関連出願の参照]
本出願は、２０１５年１２月０９日に中国国家知識産権局へ提出した、申請番号２０１５１０９０１０１４．５、中国における特許出願の名称「真空成形による繰り返し使用可能な肢体保護パッド」、及び２０１５年１２月０９日に中国国家知識産権局へ提出した、申請番号２０１５１０９０３０５９．６、中国における特許出願の名称「肢体への繰り返し使用が可能な調整式肢体保護パッド」の優先権を主張するものであり、その全内容は参照して本出願に組み込まれる。
【０００２】
本考案は肢体保護パッドに関し、特に真空成形による繰り返し使用可能な肢体保護パッドに関するものであり、ユーザーが肢体保護パッドを肢体の表面（頭部・手足の骨折部又は首・腰の捻挫部の表面等）に巻き付けて離れないよう安定させた後、肢体保護パッド内の空気を排出するだけで、肢体保護パッドの中に充填された複数の顆粒が緊密に接触し合い、肢体保護パッドが肢体の輪郭に沿って擬固体状（その硬さ又は弾性は、排出する空気量によって決まる）に形成され、肢体を保護することができるというものである（頭部への外部からの衝撃を吸収及び軽減する、手足の骨折部を定位置に固定して再生・回復を可能とする、又は首・腰の捻挫部が十分な支持を得られるようにする等）。
【背景技術】
【０００３】
世界保健機関の統計によれば、毎年世界の人口の約１０％以上が肢体の骨折又は手術のためにギプスをつけており、ギプスをつけることはそれほど驚くような事ではないが、患者がギプス治療の日々を無事に過ごすためには、やはり心の準備と、時間をかけて理解し適応することが必要となる。
通常、医師は患者が実際にどの程度負傷しているかによって、その状況に最も適したギプスの材料を選択するが、それは多分石膏粉末で作られたギプス（ｐｌａｓｔｅｒ  ｃａｓｔ）か又はプラスチック製ギプス（ｓｙｎｔｈｅｔｉｃ  ｏｒ  ｒｅｓｉｎ  ｃａｓｔ）である。そのうち、石膏ギプスはガーゼに石膏粉末をまぶして作られ、プラスチック製ギプスはガラス繊維にポリウレタン樹脂を含浸させて作られる。
しかし、どんな種類のギプス材料を用いたとしても、通常は、ギプス治療の第１週目に患者の負傷した肢体がむくみ続けてギプスがきつくなり、結果血液循環の悪化や痛みが続き、第２週目には患者のむくみが解消され始めるが、今度はギプスが緩く感じるようになり、十分な固定効果が得られなくなってしまう。そのため患者は最初の数日間でこれに適応しなければならず、ギプスをつける何日か前からギプスの存在を常に意識し、且つ負傷する前には出来た事が恐らく又は確実にできなくなるため、活動において患部の回復にマイナスとなるどんな影響も被らないよう、生活の歩調を落としてゆっくりと調製しつつ、自分の生理的な制限に合わせなければならない。
また、２週間の間に１回再診察を受ける必要があるが、患者に以下の状況が表れた場合には直ちに再診察を受けて、医師からの診断と適切な処置を受ける必要がある。
１、患肢の痛みが続く場合。
２、ギプスがきつく苦しく感じる場合。
３、ギプスが徐々に緩くなり、ひび又は破損が生じた場合。
４、ギプス内に圧迫又は摩擦で痛みを感じる場合。
５、ギプス付近の皮膚が冷たく感じる又は白色・紫色になっている場合。
６、ギプスをつけた部分の手足の痛み、痺れ又は刺すような痛みが続く場合。
幾日か経ち、医師によって患者の骨折部の仮骨が成熟して完全に回復していると診断された際は、特殊な設計が施されたギプス用鋸で患肢の上からギプスが切除されるが、ギプス用鋸は特殊な設計によってギプスだけをカットでき、皮膚を傷つけることがなく、ギプスの切除過程も素早くて痛みがないとはいえ、潜在的なリスクも存在しており、患者が医師に完全に協力してはじめてリスクを最低限まで減らすことができる。
上述のように、患者がギプス治療を受ける間、ギプスによる患肢への上記問題や多くの不快な症状が生じる以外にも、治療完了後においては切除された大量のギプスが医療廃棄物として大きな負担となっており、また多大な資源の浪費を招いている。
従って、ユーザーが肢体保護パッドを患肢の表面（手足の骨折部の表面等）に巻き付けて離れないよう安定させた後、肢体保護パッド内の空気を排出するだけで、肢体保護パッドの中に充填された複数の顆粒が圧迫され、顆粒が緊密に接触し合い、肢体保護パッドが患肢の輪郭に沿って擬固体状（その硬さ又は弾性は、排出する空気量によって決まる）に成形され、手足の骨折部を定位置に固定して再生・回復を可能とし、患者のギプス治療が完了した後は、肢体保護パッドに空気を導入するだけで肢体保護パッド内に充填された顆粒が直ちに緩んで柔らかな状態に戻り、患者は肢体保護パッドを外して、患肢の検査、洗浄、薬の塗布等を行うことができ、且つ初期回復における患肢の輪郭に合わせて肢体保護パッドの成形を自ら再度調整することで、リハビリ過程から患肢が完全に治癒するまでの間、継続して心地よく良好で十分な支持を得ることが可能な肢体保護パッドを如何に設計するか、というのが本考案において解決を目指す重要な課題である。
【考案の概要】
【０００４】
本考案者は、従来のギプスでは患肢の輪郭に合わせて成形を調製することができず、且つ繰り返し使用ができないという上記欠点に鑑み、多年の実務経験に基づく多くの実験や研究を重ねた結果、ついに従来のギプスの使用における多くの課題を効果的に解決し、ユーザーが肢体保護パッドを患肢の治療過程においても、また患肢のリハビリ過程においても繰り返し使用することができ、且つ肢体保護パッドの成形を肢体に合わせて再度調整することで、肢体が最良の治療、リハビリ及び保護を得ることが可能となる、真空成形による繰り返し使用可能な肢体保護パッドを設計することができた。
本考案は、真空成形による繰り返し使用可能な肢体保護パッドを提供することを一つの目的としており、それは袋体、空気ノズル、複数の顆粒、フィルター及び少なくとも１つの締め付け部材で構成され、その中で、袋体は気密性の可塑性材料で作られ、その周縁は気密封止されて内部に第一収納空間が形成され、袋体の表面には第一収納空間に対応する位置に１つの開口が設けられ、開口は第一収納空間と互いに連通しており、袋体の２つの内側表面は互いに隔てられ、且つ対応し合う位置にあり、それぞれに位置決め部材が気密的に接続され、位置決め部材は第一収納空間部分を複数の位置決め空間に仕切ることができ、且つ隣接する位置決め空間が互いに仕切られつつも連通し合うようにさせることで、第一収納空間の断面が常に所定の平らで薄い形状になるよう維持し、空気ノズルの底部周縁は袋体の表面の開口に対応する位置に気密封止され、空気ノズル内には空気流路が設けられ、排気機がその空気流路を通じて第一収納空間の排気を行うことができ、また空気流路は導通又は非導通に状態を切り替えることができ、顆粒は袋体の位置決め空間内に充填され、且つ位置決め空間内を移動することができ、フィルターは空気流路と対応する位置に設けられ、フィルターの網目は顆粒それぞれの粒径よりも小さく、締め付け部材（締め付けベルト又は面ファスナー等）は肢体保護パッドを肢体（頭部・手足の骨折部又は首・腰の捻挫部等）の表面に巻き付けて離れないよう安定させるとともに、それによって肢体保護パッドを肢体に巻き付ける強度の調整が可能となる。
本考案は、真空成形による繰り返し使用可能な肢体保護パッドを提供することをもう一つの目的としており、その肢体保護パッドは内袋、複数の顆粒、外袋、空気ノズル及び少なくとも１つの締め付け部材で構成され、その中で、内袋は通気性材料で作られ、その周縁は封止されて内部に第一収納空間が形成され、内袋の内側表面は互いに隔てられ、且つ対応しあう位置にあり、それぞれに位置決め部材が設けられ、位置決め部材は第一収納空間部分を複数の位置決め空間に仕切ることができ、且つ隣接する位置決め空間が互いに仕切られつつも連通し合うようにさせることで、第一収納空間の断面が常に所定の平らで薄い形状になるよう維持し、顆粒は内袋の位置決め空間内に充填され、且つ位置決め空間内を移動することができ、顆粒それぞれの粒径は通気性材料の通気孔径よりも大きく、外袋は気密性材料で作られ、その周縁は気密封止されて内部に第二収納空間が形成され、第二収納空間は内袋を収納し、外袋の表面には第二収納空間に対応する位置に１つの開口が設けられ、開口は第二収納空間と互いに連通しており、空気ノズルの底部周縁は外袋の表面の開口に対応する位置に気密封止され、且つ空気ノズル内には空気流路が設けられ、排気装置（掃除機等）がその空気流路を通じて収納空間の排気を行うことができ、締め付け部材（締め付けベルト又は面ファスナー等）は肢体保護パッドを肢体（頭部・手足の骨折部又は首・腰の捻挫部等）の表面に巻き付けて離れないよう安定させるとともに、それによって肢体保護パッドを肢体に巻き付ける強度の調整が可能となる。
このように、肢体保護パッドに肢体表面をしっかりと被覆させた後、ユーザーは排気装置を用いて空気流路から外袋（又は袋体）の真空排気を行うだけでよく、このとき、顆粒が吸い出されるのを内袋（フィルター）が完全に防ぐことができるので、排気装置が肢体保護パッド内の空気を排出するだけで、外袋（又は袋体）が内側に向かって変形して顆粒が圧迫され、顆粒が緊密に接触し合うことで肢体保護パッドが肢体の輪郭に沿って擬固体状（その硬さ又は弾性は、真空度によって決まる）に成形される。これにより、例えば頭部への外部からの衝撃を吸収及び軽減する、手足の骨折部を定位置に固定して再生・回復を可能とする、又は首・腰の捻挫部が十分な支持を得られるようにするなど、肢体の保護が可能となる。また、ユーザーが肢体保護パッドを必要としなくなった際は、外袋（又は袋体）に空気を導入するだけで顆粒が直ちに緩み、肢体保護パッドが柔らかな状態に戻るので、保管して繰り返し使用ができる。
以下、図面と具体的な実施例に基づき、本考案の目的、技術的特徴及びその効果についてさらに詳しく説明する。
【図面の簡単な説明】
【０００５】
【図１】本考案の保護パッドが肢体に固定される概略図である。
【図２】本考案の第１実施例の肢体保護パッドの横断面分解概略図である。
【図３】本考案の第２実施例の肢体保護パッドの横断面分解概略図である。
【考案を実施するための形態】
【０００６】
本考案は真空成形による繰り返し使用可能な肢体保護パッドである。図１及び図２を参照する。肢体保護パッドＡは、袋体１０、空気ノズル２０、複数の顆粒４０、フィルター１１２及び少なくとも１つの締め付け部材１５で構成される。
その中で、袋体１０は気密性の可塑性材料で作られ、その周縁は気密封止されて内部に第一収納空間１３が形成され、袋体１０の表面には第一収納空間１３に対応する位置に開口１１が設けられ、開口１１は第一収納空間１３と互いに連通しており、袋体１０の内側表面は互いに隔てられ、且つ対応しあう位置にあり、それぞれに位置決め部材（１７）が気密的に接続され、位置決め部材（１７）が第一収納空間（１３）部分を複数の位置決め空間（１３１）に仕切り、且つ隣接する位置決め空間（１３１）が互いに仕切られつつも連通し合うようにさせることで、第一収納空間１３の断面が常に所定の平らで薄い形状になるよう維持される。位置決め部材１７の構造は、糸体、ベルト体、チューブ状体、その他軟質・硬質の接続体又は位置決め点などでよい。
【０００７】
再び図１及び図２を参照する。第１実施例において、空気ノズル２０はノズルホルダ２１及びカバー体２３で構成され、ノズルホルダ２１は気密性材料で作られ、ノズルホルダ２１の底部周縁は袋体１０の表面の開口１１に対応する位置に気密封止され、且つノズルホルダ２１内には空気流路２１１が設けられ、排気機（図示しない）がその空気流路２１１を通じて第一収納空間１３の排気を行うことができ、カバー体２３はノズルホルダ２１の頂部に被さって空気流路２１１を気密封止することができる。顆粒４０は袋体１０の位置決め空間１３１内に充填され、且つ位置決め空間１３１内を移動することができ、フィルター１１２は空気流路２１１と対応する位置に設けられ、フィルター１１２の網目は顆粒４０それぞれの粒径よりも小さい。締め付け部材１５（締め付けベルト等）の両端はそれぞれ肢体保護パッドＡの対応箇所に固く接続され、肢体保護パッドＡを肢体Ｂの表面に巻き付けて離れないよう安定させるとともに、それによって肢体保護パッドＡを肢体Ｂに巻き付ける強度の調整が可能となる。このように、肢体保護パッドＡを肢体Ｂの表面に巻き付けて離れないよう安定させた後、ユーザーは排気装置を用いて空気流路２１１から袋体１０の真空排気を行うことができるが、このとき、顆粒４０はその粒径がフィルター１１２の網目より大きいので袋体１０から出ることがなく、肢体保護パッドＡを肢体Ｂの輪郭に沿って擬固体状に形成させることができる。
ユーザーが肢体保護パッドＡを必要としなくなった際は、袋体１０に空気を導入するだけで袋体１０内に充填された顆粒４０が直ちに緩み、肢体保護パッドＡを柔らかな状態に戻すことができる。また、フィルター１１２は、ノズルホルダ２１内の空気流路２１１に対応する位置以外にも、袋体１０上の空気流路２１１（又は開口１１）に対応する位置に設けられてもよい。それにより排気装置が空気流路２１１を通じて第一収納空間１３の排気を行う際に、フィルター１１２の遮断によって顆粒４０が排気装置から排出されないようにすることができる。
【０００８】
また、本考案の第２実施例において、当業者は組み立ての便宜を高めるため、単一の袋体を１つの外袋と１つの内袋として設計してもよい。図１及び図３を参照する。続く第２実施例の説明中では、改変された部材に対してのみ新たに符号を付し、構造が同一かつ共通の部材については第１実施例と同一であることを理解されたい。
肢体保護パッドＡは内袋３０、外袋７０、少なくとも１つの締め付け部材１５、空気ノズル２０及び複数の顆粒４０で構成され、その中で、内袋３０は通気性材料（通気性の繊維製品又は通気性の可塑性フィルム等）で作られ、その周縁は封止されて内部に第一収納空間３３が形成され、内袋３０の内側表面は互いに隔てられ、且つ対応しあう位置にあり、それぞれに１つの位置決め部材３５が固設される。位置決め部材３５が第一収納空間３３部分を複数の位置決め空間３３１に仕切り、且つ隣接する位置決め空間３３１が互いに仕切られつつも連通し合うようにさせることで、第一収納空間３３の断面が常に所定の平らで薄い形状になるように維持し、顆粒４０は内袋３０の位置決め空間３３１内に充填され、且つ位置決め空間３３１内を移動することができ、顆粒４０それぞれの粒径は内袋３０の通気孔径よりも大きい。
このように、顆粒４０が内袋３０の位置決め空間３３１に充填された後、顆粒４０は位置決め空間３３１内を移動することができるが、位置決め部材３５が第一収納空間３３の断面を所定の平らで薄い形状に維持するため、顆粒４０が全て一か所に堆積することはなく、位置決め空間３３１に均一に分散されて、位置決め空間３３１の厚みが均一に維持される。また、顆粒４０それぞれの粒径が内袋３０の通気穴径よりも大きいので、顆粒４０は位置決め空間３３１においてのみ移動することができ、内袋３０の外へ移動することはない。
上述は本考案の好適な実施例に過ぎず、本考案における位置決め部材３５は、実際の使用においては糸体に限らず、ベルト体、チューブ状体、その他軟質・硬質の接続体又は位置決め点なども含まれ、当業者が本考案の技術内容に基づき、位置決め部材３５をその他のベルト体、チューブ状体又は軟質・硬質の接続体と置き換えるか、又は長さをなくして位置決め点（内袋の内側両面を直接接続する）と置き換えて、隣接する位置決め空間３３１が互いに仕切られつつも連通し合うようにし、且つ第一収納空間３３の断面が常に所定の平らで薄い形状になるように維持することは、すべて本考案の位置決め部材３５の保護範囲を逸脱しない。  
【０００９】
図１及び図３が示すように、外袋７０は気密性材料（気密性の可塑性フィルム等）で作られる。その周縁は気密封止されて内部に第二収納空間７３が形成され、第二収納空間７３は内袋３０を収納し、外袋７０の表面には第二収納空間７３に対応する位置に１つの開口７４が設けられ、開口７４は第二収納空間７３と互いに連通しており、空気ノズル２０はノズルホルダ２１及びカバー体２３で構成され、ノズルホルダ２１は気密性材料で作られ、ノズルホルダ２１の底部周縁は外袋７０の外側表面の開口７４に対応する位置に気密封止され、ノズルホルダ２１内には空気流路２１１が設けられ、排気装置（図示しない）がその空気流路２１１を通じて第二収納空間７３及び第一収納空間３３の排気を行うことができる。カバー体２３はノズルホルダ２１の頂部に被さって空気流路２１１を気密封止することができ、締め付け部材１５は締め付けベルトでよく、締め付けベルトの両端はそれぞれ肢体保護パッドＡの対応箇所に固く接続され、肢体保護パッドＡを肢体Ｂ（頭部・手足の骨折部又は首・腰の捻挫部等）の表面に巻き付けて離れないよう安定させるとともに、それによって肢体保護パッドＡが肢体Ｂを被覆する強度の調整が可能となり、且つ内袋３０内に充填された顆粒４０を肢体Ｂの輪郭に沿って位置決め空間３３１に位置決めすることができる。
【００１０】
図１及び図３を参照する。肢体保護パッドＡを肢体Ｂの表面に巻き付けて離れないよう安定させた後、ユーザーは排気装置（掃除機等）を用いて空気流路２１１から外袋７０の真空排気を行うだけでよい。このとき、顆粒４０が吸い出されるのを内袋３０が完全に防ぐことができるので、排気装置が第一収納空間３３及び第二収納空間７３内の空気を排出するだけで、外袋７０が内側に向かって変形し、内袋３０及びその中に充填された顆粒４０が圧迫され、顆粒４０が緊密に接触し合うことで肢体保護パッドＡが肢体Ｂの輪郭に沿って擬固体状（その弾性又は硬度は、真空度によって決まる）に成形される。これにより、例えば頭部への外部からの衝撃を吸収及び軽減する、手足の骨折部を定位置に固定して再生を可能とする、又は首・腰の捻挫部が十分な支持を得られるようにするなど、肢体Ｂの保護が可能となる。ユーザーが肢体保護パッドＡを必要としなくなった際は、外袋７０に空気を導入するだけで内袋３０内に充填された顆粒４０が直ちに緩み、肢体保護パッドＡが柔らかな状態に戻るので、保管してまた繰り返し使用することができる。
【００１１】
本考案のその他の実施例において、図２及び図３が示すように、実際の必要に応じて、空気ノズル２０を逆流防止弁又は空気弁として設計してもよい。
逆流防止弁はさらに封止弁２２を含み、封止弁２２は気密性材料（気密性の可塑性材料等）で作られ、且つ空気流路２１１内で可動的に取り付けることで、第１実施例においては、排気装置が空気流路２１１を通じて第一収納空間１３の排気を行う際に、封止弁２２が単一方向に開いた状態となり、逆に、袋体１０の外部の気圧が第一収納空間１３内の気圧と等しいか又は上回る場合には、封止弁２２が自動的に空気流路を気密的に密閉し、空気弁は開ける又は閉めることができる。それによって空気流路２１１を導通又は非導通の状態にし、同様に、第２実施例においては、排気装置が空気流路２１１を通じて第一収納空間３３及び第二収納空間７３の排気を行う際に、封止弁２２が単一方向に開いた状態となり、逆に、外袋７０の外部の気圧が第一収納空間３３及び第二収納空間７３内の気圧と等しいか又は上回る場合には、封止弁２２が自動的に空気流路を気密的に密閉し、空気弁は開ける又は閉めることができる。それによって空気流路２１１を導通又は非導通の状態にする。
【００１２】
本考案のその他の実施例において、図２及び図３が示すように、肢体保護パッドＡはさらに飾り袋５０を含み、飾り袋５０は通気性材料（通気性の繊維製品又は通気性の可塑性フィルム等）で作られ、その周縁は封止されて内部に収容空間５１が形成され、第１実施例においては、収容空間５１は袋体１０を収納するのに用いられ、第２実施例においては、収容空間５１は外袋７０を収納するのに用いられ、さらに、飾り袋５０の表面には空気ノズル２０に対応する位置に露出孔５２が設けられ、空気ノズル２０は露出孔５２を通じて飾り袋５０の外部に露出することができる。このように、飾り袋５０が袋体１０（又は外袋７０）の外部を被覆し、且つ通気性材料で作ることで、肢体保護パッドＡが肢体Ｂの輪郭に沿って擬固体状に成形されて、肢体Ｂの表面に巻き付けて離れないよう安定させた際に、飾り袋５０が肢体Ｂに良好な通気及び汗の排出効果を提供することができる。袋体１０（又は外袋７０）の気密特性（気密性材料で作られているため）によって肢体Ｂの表面に蒸し暑さや過敏症が生じやすくなるなどの不快感の発生を効果的に防ぐことができる。
また、本考案の肢体保護パッドＡをより簡単な構造及びより早い製造プロセスにするため、飾り袋５０を飾り被覆層６０と置き換えてもよく、飾り被覆層６０もまた通気性材料（通気性の繊維製品又は通気性の可塑性フィルム等）で作り、且つ袋体１０（又は外袋７０）の外側表面を被覆して、空気ノズル２０だけが飾り被覆層６０の外側に露出できるようにさえすれば、飾り袋５０が生み出す効果を得ることができる。
【００１３】
本考案のその他の実施例において、図２及び図３が示すように、肢体保護パッドＡ全体の重量を減らし、肢体保護パッドＡが肢体Ｂにかける負担を効果的に低減させるため、顆粒４０を多孔質構造の顆粒で作ることができる。その中で、顆粒４０はセラミックを焼結させてできる多孔質顆粒でよく、それにより顆粒４０が緊密に接触し合って肢体保護パッドＡが肢体Ｂの輪郭に沿って擬固体状に成形される際に、より堅固な成形効果（その硬度は真空度によって決まる）を有することで、骨折部の肢体Ｂ（手又は足等）を定位置に固定して再生・回復を可能とする。また、顆粒４０には可塑性発泡材料で作る多孔質顆粒を選択してもよく、それにより顆粒４０が緊密に接触し合って肢体保護パッドＡが肢体Ｂの輪郭に沿って擬固体状に成形される際に、より弾性が安定する成形効果（その弾性は真空度によって決まる）を有することで、例えば頭部への外部からの衝撃を吸収及び軽減する、又は首・腰の捻挫部が十分な支持を得られるようにするなど、肢体Ｂの保護が可能となる。
【００１４】
ここで特に言及すべき点として、図２及び図３を参照する。第２実施例においては、締め付け部材１５（締め付けベルト等）の一端は外袋７０、飾り袋５０又は飾り被覆層６０の周縁に接続し、第１実施例においては、締め付け部材１５の一端は袋体１０、飾り袋５０又は飾り被覆層６０の周縁に接続することができ、さらに、締め付け部材１５のもう一端は面ファスナー１６によって外袋７０（又は袋体１０）、飾り袋５０又は飾り被覆層６０の対応部分に接続することができる。
本考案を実際に実施するにあたってはこれらに限らず、当業者が本考案の技術内容に基づき、その他の止め具を面ファスナー１６と置き換えて、その目的が肢体保護パッドＡを肢体Ｂの表面に巻き付けて離れないよう安定させるとともに、それによって肢体保護パッドＡが肢体Ｂを被覆する強度の調整を可能とするものであれば、すべて本考案の締め付け部材１５の保護範囲を逸脱しない。
【００１５】
またここで特に言及すべき点として、図１及び図２を参照する。成形の操作過程において、医師は普通、肢体保護パッドＡが終始平らで薄く、柔軟な状態を保っていることが望ましいが、通常、成形するときに袋体１０内は大気圧下にあり、顆粒４０が袋体１０内を自由に移動できるため、もし袋体１０内に位置決め部材１７が設計されないとしたら、ユーザーが肢体保護パッドＡの一端又はある部分を持ち上げる際に、肢体保護パッドＡのその他の握られていない部分が重力によって垂れ下がり、このとき、手で持っている付近の顆粒４０がすぐに低い部分へと落ちていき、袋体１０の低い部分に顆粒４０が堆積して膨らんでしまい、肢体保護パッドＡの所定の平坦な形状が失われて、成形作業が極めて困難になる。このため、実用においては肢体保護パッドＡ内に位置決め部材１７を設ける必要があり、袋体１０の膨らむ度合を制限することで肢体保護パッドＡが終始所定の厚みの平らで薄い形状になり、且つ柔軟で表面が平らな特性を備えさせて、成形操作の便がよくなる。
【００１６】
引き続き図１及び図２を参照する。最も簡単な位置決め部材１７は位置決め糸であり、即ち１本の糸によって袋体１０の内側両面の対応点を接続して、内側両面の離れる距離を制限するが、位置決め糸の長さをなくした極端な状況下では、袋体１０の両面の対応点を直接接合し、ここではそれを位置決め点と称する。また、位置決め点の概念はかなり直接的なものであり、実際の製作においても達成することができ、図３が示すように、繊維製品の内袋３０の上・下布層の収納部の対応点をミシンで直接縫い合わせればよい。一方、長さのある位置決め糸の作り方は既知の方法では困難であり、現時点で出願はなく、位置決め糸の実施例も登場していないが、その主な理由は製作が極めて困難な点にあり、３５×３５ｃｍの繊維製品の内袋３０を例とすれば、仮に１０ｍｍ間隔で１つの位置決め糸があるようにし、位置決め糸の長さを１０ｍｍ、且つ内袋３０の大きさは手首の骨折や怪我の固定に適するものとした場合、位置決め糸の両端と上・下布層の対応点との接合が製作において困難な問題である。よって、今のところ簡便な工具又は作り方はなく、縫うのが最も直接的な接合方法であるものの、１本の位置決め糸と上・下布層の対応点との関係は構造が立体的で且つ柔軟性があり、さらに位置決め糸の長さは僅か１０ｍｍであるため、位置決め糸の両端と上・下布層とを縫い合わせるのは１本の位置決め糸だけでもかなり困難である。まして内袋３０には３４×３４＝１１５６本の位置決め糸（即ち接合点が２３１２か所）があり、特殊な装置又は製作方法がない限り実際的ではない。
下記の表は「位置決め部材なし」、「位置決め点」及び「位置決め糸」として内袋３０の比較表を作成したものであり、且つ位置決めの間隔は１０×１０ｍｍである。その中で、記号「Ｘ」は結果が「悪い」であることを表し、記号「△」は結果が「普通」であることを表す。記号「◎」は結果が「優良」であることを表し、表が示すように、位置決め糸方式で作られた肢体保護パッドＡが備える利点は、位置決め部材３５又は位置決め点方式で作られたものをはるかに上回っていた。
【００１７】
【表１】
0003224632.tif 000003
【００１８】
本考案者は積極的に研究を行い、特殊な織布器を利用してこれに装置のつけ替え及び技術的に大幅な変更を加え、上布層、下布層及び位置決め糸を同時に織り出す方法により、ついに位置決め糸を含む内袋３０を作り出すことに成功した。
上述は本考案の好適な実施例に過ぎず、本考案が主張する請求項の範囲を限定するものではなく、当業者が本考案が開示した技術内容に基づいて同等の効果が得られる改変を行ったとしても、すべて本考案の保護範囲を逸脱しない。
【符号の説明】
【００１９】
１０  袋体
１１２  フィルター
１１、７４  開口
１３、３３  第一収納空間
１３１、３３１  位置決め空間
１５  締め付け部材
１６  面ファスナー
１７、３５  位置決め部材
２０  空間ノズル
２１  ノズルホルダ
２１１  空気流路
２２  封止弁
２３  カバー体
３０  内袋
４０  顆粒
５０  飾り袋
５１  収容空間
５２  露出孔
６０  飾り被覆層
７０  外袋
７３  第二収納空間
Ａ  肢体保護パッド
Ｂ  肢体
【図１】
0003224632.tif 000004
【図２】
0003224632.tif 000005
【図３】
0003224632.tif 000006